(57)【要約】  【課題】  ディスクにレーザ光を照射しデータを読み出す又は書き込む光ヘッドであって、少ない構成部材でピニオンギアとラックとのバックラッシュの発生を抑制し、前記光ヘッドの動作の精度を高める。  【解決手段】  ラック１１はスライドベース１に一体的に形成されるメインラック１３と、メインラック１３に対して摺動可能に配置されたスライドラック１４とを有している。スライドラック１４の弾性部１４２はラック１１の摺動方向にたわむように形成されており、抜け止め部１３１が貫通孔１４１の端部と当接し、弾性部１４２はわずかにたわんでおり、そのたわみによる弾性力にてスライドラック１４がメインラック１３からずれる方向に付勢されている。【選択図】      図３
2006331530.tif 000002
【特許請求の範囲】
【請求項１】
レーザ光を照射するレーザ光源と、前記レーザ光を反射するミラーと、前記レーザ光を
平行光にするコリメータレンズと、前記光ディスクで反射した光を分光するビームスプリ
ッタと、光を受光する受光素子とを具備するスライドベースと、前記レーザ光を前記光デ
ィスクに照射するための対物レンズを具備するアクチュエータとを有し、
前記スライドベースはピニオンギアにて駆動力を伝達されるものであり、側面にピニオ
ンギアと歯合するラックと、前記スライドベースの摺動を規制するためのガイド軸が貫通
する摺動孔とを有しており、
前記ラックは、前記スライドベースと一体に形成されるメインラックと、前記メインラ
ックの上部に摺動可能に配置されるスライドラックとを有しており、
前記メインラックは前記スライドベースが離脱するのを防ぐための抜け止め部と、当接
リブとを有しており、
前記スライドラックは前記メインラックの抜け止め部が貫通する貫通孔と、前記当接リ
ブと接触する弾性部材と、前記光ヘッドの摺動が終了した後に光ヘッドが摺動する方向と
直交するスライドするカムスライダと係合ボスとを有する光ヘッドにおいて、
前記スライドラックの一部が変形するように構成することで、弾性部材を省略すること
を特徴とする光ヘッド。
【請求項２】
レーザ光を照射するレーザ光源と、前記レーザ光を反射するミラーと、前記レーザ光を
平行光にするコリメータレンズと、前記光ディスクで反射した光を分光するビームスプリ
ッタと、光を受光する受光素子とを具備するスライドベースと、前記レーザ光を前記光デ
ィスクに照射するための対物レンズを具備するアクチュエータとを有する光ヘッドであっ
て、
前記スライドベースはピニオンギアにて駆動力を伝達されるものであり、側面にピニオ
ンギアと歯合するラックと、前記スライドベースの摺動を規制するためのガイド軸が貫通
する摺動孔とを有しており、
前記ラックは、前記スライドベースと一体に形成されるメインラックと、前記メインラ
ックの上部に摺動可能に配置されるスライドラックとを有しており、
前記メインラックは前記スライドベースが離脱するのを防ぐための抜け止め部と、当接
リブとを有しており、
前記スライドラックは前記メインラックの抜け止め部が貫通する貫通孔と、前記当接リ
ブと接触する弾性部と、前記光ヘッドの摺動が終了した後に光ヘッドが摺動する方向と直
交するスライドするカムスライダと係合ボスとを有しており、
前記弾性部はたわむことで弾性力を発生し前記メインラックの前記当接リブを押し、メ
インラックのギア歯とスライドラックのギア歯が互いに反対側に移動するように付勢され
ることを特徴とする光ヘッド。
【請求項３】
少なくとも前記スライドラックはポリアセタール樹脂で形成されていることを特徴とす
る請求項２に記載の光ヘッド。
【発明の詳細な説明】
【技術分野】
【０００１】
本発明は、光ディスクに光を照射することでデータの記録及び（又は）読出しを行う光
ヘッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図１に光ヘッドの配置図を示す。図１に示すようにレーザ光源Ｌｄと、ミラーＭｒと、
コリメータレンズＬｃと、対物レンズＬｂと、ビームスプリッタＢｓと、受光素子Ｐｄと
を有している。レーザ光学系Ｌｄより照射されたレーザ光はミラーＭｒで反射されてコリ
メータレンズＬｃに入射する。コリメータレンズＬｃに入射したレーザ光は平行光として
出射され対物レンズＬｂに入射する。対物レンズＬｂに入射したレーザ光はＤＶＤメディ
アＤｓの記録面に照射される。
【０００４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００５】
図５に従来の光ヘッドの平面図を、図６に図５に示す光ヘッドの側面図を示す。図５、
図６に示すように光ヘッドＢはコリメータレンズＬｃを支持するスライドベース９１と、
対物レンズＬｂを駆動するためのアクチュエータ９２とを備えている。スライドベース９
１の側面には光ヘッドＢのディスクトラック方向（ディスク半径方向）への動作を行うラ
ック９３と、ラック９３と歯合するピニオンギア９４とを備えている。ピニオンギア９４
は図示を省略した駆動機構（モータ等）と連接されている。
【０００６】
光ヘッドＢはピニオンギア９４の回動をラック９３に伝達することで、摺動するもので
ある。光ヘッドＢを摺動することで、光ディスクＤｓの記録面上の必要な情報が記録され
ている部分にレーザスポットを速やかに照射することができる。
【０００７】
ラック９３はスライドベース９１の側面に一体形成されているメインラック９３１と、
メインラック９３１にスライドベース９１の摺動方向に摺動可能に支持されるスライドラ
ック９３２とを有している。スライドラック９３２には貫通孔９３３が形成されており、
メインラック９３１より突出するボス９３４が貫通している。ボス９３４と貫通孔９３３
とにばね９５が配置されており、ばね９５の弾性力にてメインラック９３１とスライドラ
ック９３２とを逆方向に付勢している。
【０００８】
メインラック９３１とスライドラック９３２とはピニオンギア９４が歯合しており、ば
ね９５の弾性力にてスライドラック９３２のギア歯がメインラック９３１のギア歯に対し
てずれる方向に付勢されているので、ピニオンギア９４のギア歯をつかむ（挟む）ように
付勢される。これにより、ピニオンギア９４のギア歯と、ラック９３との遊びによるがた
（バックラッシュ）の発生を低減することができる。
【特許文献１】特開２００４−３１８９２１号公報
【特許文献２】特開２００４−０５５０４３号公報
【発明の開示】
【発明が解決しようとする課題】
【０００９】
しかしながら、スライドラック９３２のメインラック９３１に対する摺動方向への付勢
をばね９５を用いて行う場合、ばね９５を別途用意しなくてはならず、部品点数が増加す
る。また、ばね９５の組み付けは別工程で行われる場合が多く、時間と、手間がかかり、
光ディスク装置の製造コストが高くなる。
【００１０】
さらに、ばね９５は金属で形成されており光ディスク装置が動作している最中に、ばね
９５が外れると、光ヘッドＢ及び光ヘッドＢが備えられる光ディスク装置に備えられてい
る歯車、クランク等の駆動機構に挟まって動作不良が発生したり、基板に落ちて短絡し、
光ディスク装置の故障や、破損の原因になる場合もある。
【００１１】
そこで本発明は、光ディスクにレーザ光を照射しデータを読み出す又は書き込む光ヘッ
ドであって、弾性部材を省略することで部品点数を減少し、製造、組立コストを低減する
ことを目的とする。
【００１２】
また本発明は、光ディスクにレーザ光を照射しデータを読み出す又は書き込む光ヘッド
であって、少ない構成部材でピニオンギアとラックとのバックラッシュの発生を抑制し、
前記光ヘッドの動作の精度を高めることを目的とする。
【課題を解決するための手段】
【００１３】
上記目的を達成するために本発明は、レーザ光を照射するレーザ光源と、前記レーザ光
を反射するミラーと、前記レーザ光を平行光にするコリメータレンズと、前記光ディスク
で反射した光を分光するビームスプリッタと、光を受光する受光素子とを具備するスライ
ドベースと、前記レーザ光を前記光ディスクに照射するための対物レンズを具備するアク
チュエータとを有し、前記スライドベースはピニオンギアにて駆動力を伝達されるもので
あり、側面にピニオンギアと歯合するラックと、前記スライドベースの摺動を規制するた
めのガイド軸が貫通する摺動孔とを有しており、前記ラックは、前記スライドベースと一
体に形成されるメインラックと、前記メインラックの上部に摺動可能に配置されるスライ
ドラックとを有しており、前記メインラックは前記スライドベースが離脱するのを防ぐた
めの抜け止め部と、当接リブとを有しており、前記スライドラックは前記メインラックの
抜け止め部が貫通する貫通孔と、前記当接リブと接触する弾性部材と、前記光ヘッドの摺
動が終了した後に光ヘッドが摺動する方向と直交するスライドするカムスライダと係合ボ
スとを有する光ヘッドにおいて、前記スライドラックの一部が変形するように構成するこ
とで、弾性部材を省略することを特徴とする。
【００１４】
この構成によると、弾性部材を省略してもラックとピニオンギアとのバックラッシュの
発生を低減することができる。これにより、前記弾性部材を省略することで、製造コスト
を低減することができる。
【００１５】
上記目的を達成するために本発明は、レーザ光を照射するレーザ光源と、前記レーザ光
を反射するミラーと、前記レーザ光を平行光にするコリメータレンズと、前記光ディスク
で反射した光を分光するビームスプリッタと、光を受光する受光素子とを具備するスライ
ドベースと、前記レーザ光を前記光ディスクに照射するための対物レンズを具備するアク
チュエータとを有する光ヘッドであって、前記スライドベースはピニオンギアにて駆動力
を伝達されるものであり、側面にピニオンギアと歯合するラックと、前記スライドベース
の摺動を規制するためのガイド軸が貫通する摺動孔とを有しており、前記ラックは、前記
スライドベースと一体に形成されるメインラックと、前記メインラックの上部に摺動可能
に配置されるスライドラックとを有しており、前記メインラックは前記スライドベースが
離脱するのを防ぐための抜け止め部と、当接リブとを有しており、前記スライドラックは
前記メインラックの抜け止め部が貫通する貫通孔と、前記当接リブと接触する弾性部と、
前記光ヘッドの摺動が終了した後に光ヘッドが摺動する方向と直交するスライドするカム
スライダと係合ボスとを有しており、前記弾性部はたわむことで弾性力を発生し前記メイ
ンラックの前記当接リブを押し、メインラックのギア歯とスライドラックのギア歯が互い
に反対側に移動するように付勢されることを特徴とする。
【００１６】
この構成によると、前記スライドラックにて弾性部を一体的に形成するので、構成部品
を減らすことができ、それだけ、製造コストを低減することができる。また、軽量化する
ことができるので、光ヘッドの動作精度を高めることができる。
【００１７】
上記構成において、少なくとも前記スライドラックはポリアセタール樹脂で形成されて
いる物を挙げることができる。
【発明の効果】
【００１８】
本発明によると、光ディスクにレーザ光を照射しデータを読み出す又は書き込む光ヘッ
ドであって、弾性部材を省略することで部品点数を減少し、製造、組立コストを低減する
ことができる。
【００１９】
また本発明によると、光ディスクにレーザ光を照射しデータを読み出す又は書き込む光
ヘッドであって、少ない構成部材でピニオンギアとラックとのバックラッシュの発生を抑
制し、前記光ヘッドの動作の精度を高めることができる。
【発明を実施するための最良の形態】
【００２０】
以下に本発明の実施形態を図面を参照して説明する。図１に本発明にかかる光ヘッドの
一例の配置図を示す。図１に示す光ヘッドＡは、従来と実質上同一の構造を有している。
すなわち、レーザ光源Ｌｄと、ミラーＭｒと、コリメータレンズＬｃと、対物レンズＬｂ
と、ビームスプリッタＢｓと、受光素子Ｐｄとを有している。レーザ光源Ｌｄより照射さ
れたレーザ光はミラーＭｒで反射され、コリメータレンズＬｃに入射し、平行光に変化し
てコリメータレンズＬｃより出射する。コリメータレンズＬｃより出射したレーザ光は対
物レンズＬｂに入射し対物レンズＬｂよりＤＶＤメディアＤｓに照射される。
【００２１】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材へのレーザ光
の照射順序はこれに限定されるものではなく、可能な範囲で順序が入れ替わっているもの
であっても良い。
【００２２】
図２に本発明にかかる光ヘッドの平面図を、図３にメインラック及びスライドラックの
平面図を、図４にメインラック及びスライドラックの側面図を示す。図２に示すように光
ヘッドＡは、スライドベース１と、スライドベース１の上面に固定されたアクチュエータ
２とを有している。スライドベース１には上述した光学部品のうち、レーザ光源Ｌｄ、ミ
ラーＭｒ、コリメータレンズＬｃ、ビームスプリッタＢｓ及び受光素子Ｐｄが、アクチュ
エータ２には対物レンズＬｂが配置されている。
【００２３】
図３に示すように、スライドベース１は、側面に形成されたラック１１と、底面に形成
され、スライドベース１がスライドするときの摺動方向を規制するためのガイド軸１５が
貫通する摺動孔１２とを有している。スライドベース１の上面にはアクチュエータ２が固
定されている。ラック１１に隣接した位置にラック１１と歯合するギア歯３０を有するピ
ニオンギア３が配置されており、ピニオンギア３は図示を省略した駆動機構にて駆動力が
伝達され、その駆動力をラック１１に伝達することで、スライドベース１を摺動させるも
のである。
【００２４】
図４に示すように、ラック１１はスライドベース１に一体的に形成されるメインラック
１３と、メインラック１３に対して摺動可能に配置されたスライドラック１４とを有して
いる。メインラック１３とスライドラック１４は上下に並んで配置されている。
【００２５】
メインラック１３はピニオンギア３のギア歯３０と歯合するギア歯１３０が形成されて
おり、スライドラック１４に設けられた貫通孔１４１を貫通しスライドラック１４がメイ
ンラック１３から外れるのを防止するための抜け止め部１３１が２個形成されている。ま
た、スライドラック１４の弾性部１４２と当接するための当接リブ１３２とが備えられて
いる。メインラック１３の抜け止め部１３１は上部がかぎ状に形成されており、このかぎ
状部がスライドラック１４の上面と係合することで抜け止めがなされている。
【００２６】
スライドラック１４はＰＯＭ（ポリアセタール系樹脂）等の自己潤滑性及び弾性を有す
る樹脂で形成されている。スライドラック１４はメインラック１３のギア歯１３０と重な
る位置にギア歯１４０を供えている。また、メインラック１３に形成された抜け止め部１
３１が貫通するための貫通孔１４１と、メインラック１３の当接リブ１３２と当接し弾性
変形する弾性部１４２と、カムスライダ４に形成された摺動ガイド４１と係合する係合ボ
ス１４３とを有している。貫通孔１４１は抜け止め部１３１が貫通することができるよう
に、幅広に形成された部分を有している。
【００２７】
スライドラック１４の弾性部１４２はラック１１の摺動方向にたわむように形成されて
おり、一端がスライドラック１４と一体に連結する連設部１４２１が形成されている。
【００２８】
メインラック１３の当接リブ１３２は、抜け止め部１３１よりも高く形成されている。
スライドラック１４をメインラック１３に取り付ける場合、まず、当接リブ１３２を弾性
部１４２の連設部１４２１の反対側と当接するように配置する。
【００２９】
そして、スライドラック１４をスライドさせ弾性部１４２をたわませて、抜け止め部１
３１がスライドラック１４の貫通孔１４１の幅広部より貫通させる。その後、スライドラ
ック１４を戻し、抜け止め部１３１が貫通孔１４１と係合してスライドラック１４がメイ
ンラック１３から離脱するのを防止する。このとき、抜け止め部１３１が貫通孔１４１の
端部と当接し、弾性部１４２はわずかにたわんでおり、そのたわみによる弾性力にてスラ
イドラック１４がメインラック１３からずれる方向に付勢されている。
【００３０】
図３に示すようにメインラック１３のギア歯１３０とスライドラック１４のギア歯１４
０がピニオンギア３のギア歯３０とが歯号している。このとき、メインラック１３とスラ
イドラック１４とは弾性部１４２の弾性変形によって摺動方向にずれるように付勢されて
いるので、ピニオンギア３のギア歯３０がメインラック１３のギア歯１３０及びスライド
ラック１４のギア歯１４０にて挟み込まれ、ピニオンギア３のギア歯３０とラック１１の
バックラッシュの発生を抑制することができる。
【００３１】
図４に示すように、ラック１１のスライドラック１４のギア歯１４０はメインラック１
３のギア歯１３０よりも長く形成されている。これにより、ピニオンギア３のギア歯３０
とメインラック１３のギア歯１３０との歯合が外れた後もスライドラック１４のギア歯１
４０はピニオンギア３のギア歯３０と歯合しており、メインラック１３すなわちスライド
ベース１のスライドが停止した後も、スライドラック１４はスライドする。
【００３２】
スライドラック１４がスライドすることで、カムスライダに形成された摺動ガイド４１
と係合し、カムスライダ４を摺動させることで、図示を省略した歯車にて駆動力を伝達さ
れスライドベース１のスライド方向と直交する方向に摺動する。この摺動により、ボス１
４３が摺動ガイド４１に係合しているので、スライドラック１４が摺動ガイドを摺動する
ことでわずかに摺動し、ギア歯１４０がピニオンギア３のギア歯３０から離脱する。
【００３３】
カムスライダ４が反対方向に摺動すると、摺動ガイド４１に係合しているボス１４３が
摺動ガイド４１に押されて、スライドベース１の摺動方向に移動する。これにより、スラ
イドラック１４のギア歯１４０がピニオンギア３のギア歯３０と歯合し、摺動ガイド４１
とボス１４３との係合が外れる。ピニオンギア３の回動によってスライドラック１４が摺
動し、スライドラック１４の弾性部１４２の弾性力によってメインラック１３（換言する
とスライドベース１）が摺動し、メインラック１３のギア歯１３０がピニオンギア３のギ
ア歯３０と歯合する。このとき、上述のようにメインラック１３のギア歯１３０とスライ
ドラック１４のギア歯１４０とが摺動方向にずれるように付勢しているので、バックラッ
シュの発生を低減することができる。
【産業上の利用可能性】
【００３４】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００３５】
【図１】光ヘッドの一例の配置図である。
【図２】本発明に係る光ヘッドの平面図である。
【図３】本発明にかかるスライドラック及びメインラックの平面図である。
【図４】図３に示すスライドラック及びメインラックの側面図である。
【図５】従来の光ヘッドの平面図である。
【図６】従来の光ヘッドの側面図である。
【符号の説明】
【００３６】
Ｄｓ  光ディスク
Ｍｒ  ミラー
Ｂｓ  ビームスプリッタ
Ｌｄ  レーザ光源
Ｐｄ  受光部
１  スライドベース
１１  ラック
１２  摺動孔
１３  メインラック
１３０  ギア歯
１３１  抜け止め部
１３２  当接リブ
１４  スライドラック
１４０  ギア歯
１４１  貫通孔
１４２  弾性部
１４３  係合ボス
３  ピニオンギア
４  カムスライダ
４１  摺動ガイド
【図１】
2006331530.tif 000003
【図２】
2006331530.tif 000004
【図３】
2006331530.tif 000005
【図４】
2006331530.tif 000006
【図５】
2006331530.tif 000007
【図６】
2006331530.tif 000008